(57)【要約】【課題】無線通信システムにおいてランダムアクセスプロセスを処理する方法及び装置を提供する。【解決手段】ＵＥには既に当該ランダムアクセスプロセスに対応する専用プリアンブルが割り当てられている。本発明による方法は、前記ＵＥでダウンリンクメッセージを正常に受信していないか、または前記ランダムアクセスプロセスが失敗した場合に、前記専用プリアンブルを再使用するかどうかを決める段階を含む。【選択図】図３
2008252889.tif 000002
【特許請求の範囲】
【請求項１】
無線通信システムのＵＥ（ユーザー端末）においてランダムアクセスプロセスを処理する方法であって、当該ＵＥには既に当該ランダムアクセスプロセスに対応する専用プリアンブルが割り当てられており、当該方法は、
前記ＵＥでダウンリンクメッセージを正常に受信していないか、または前記ランダムアクセスプロセスが失敗した場合に、前記専用プリアンブルを再使用するかどうかを決める段階を含む、ランダムアクセスプロセスの処理方法。
【請求項２】
前記ダウンリンクメッセージは、ダウンリンク共用チャネルでのランダムアクセス応答（Ｒａｎｄｏｍ  Ａｃｃｅｓｓ  Ｒｅｓｐｏｎｓｅ  ｏｎ  ＤＬ−ＳＣＨ）段階に対応するメッセージ２、ダウンリンク共用チャネルでのコンテンション解消（Ｃｏｎｔｅｎｔｉｏｎ  Ｒｅｓｏｌｕｔｉｏｎ  ｏｎ  ＤＬ−ＳＣＨ）段階に対応するメッセージ４、またはアップリンク共用チャネルでの第１回スケジューリングされたアップリンク送信（Ｆｉｒｓｔ  Ｓｃｈｅｄｕｌｅｄ  ＵＬ  ｔｒａｎｓｍｉｓｓｉｏｎ  ｏｎ  ＵＬ−ＳＣＨ）段階に対応するメッセージ３の応答メッセージである、請求項１に記載のランダムアクセスプロセスの処理方法。
【請求項３】
前記ＵＥでダウンリンクメッセージを正常に受信していなかった場合に専用プリアンブルを再使用するかどうかを決める段階は、アップリンクメッセージを送信したが、ダウンリンクメッセージを正常に受信していない場合に、ダウンリンクメッセージを正常に受信したかどうかを判断する、請求項１に記載のランダムアクセスプロセスの処理方法。
【請求項４】
前記アップリンクメッセージは、アップリンクランダムアクセスチャネルでのランダムアクセスプリアンブル（Ｒａｎｄｏｍ  Ａｃｅｓｓ  Ｐｒｅａｍｂｌｅ  ｏｎ  ＲＡＣＨ  ｉｎ  ｕｐｌｉｎｋ）段階に対応するメッセージ１、またはアップリンク共用チャネルでの第１回スケジューリングされたアップリンク送信段階に対応するメッセージ３である、請求項１に記載のランダムアクセスプロセスの処理方法。
【請求項５】
前記方法は更に、ＵＥでダウンリンクメッセージを正常に受信せずに次のランダムアクセスアテンプトを実行した場合に、標準化された規則または設定に基づいて前記専用プリアンブルを再使用するか、または他の専用プリアンブルを要求するか、または他の専用プリアンブルの割り当てを待つか、または前記専用プリアンブルを解放してランダムアクセスプリアンブルを使用する段階を含む、請求項１に記載のランダムアクセスプロセスの処理方法。
【請求項６】
無線通信システムのネットワークにおいてランダムアクセスプロセスを処理する方法であって、
ＲＡＣＨ（ランダムアクセスチャネル）のアクセスについてＵＥから出力された専用プリアンブルを受信する段階と、
メッセージ２を通して前記ＵＥに応答する段階と、
特定の期間内または特定のスケジューリング資源の中で、前記ＵＥのＵＥ  ＩＤを含んだメッセージ３を受信していなかった場合に、前記ＵＥで次のランダムアクセスアテンプトの実行前に前記専用プリアンブルを再使用するかどうかを判断する段階とを含む、ランダムアクセスプロセスの処理方法。
【請求項７】
前記方法は、前記特定の期間内または特定のスケジューリング資源の中で、メッセージ３を検出していないか、受信していないか、または検出したが正常に受信していなかった場合に、メッセージ３を受信していないと判断する、請求項６に記載のランダムアクセスプロセスの処理方法。
【請求項８】
前記メッセージ３は、アップリンク共用チャネルでの第１回スケジューリングされたアップリンク送信段階に対応する、請求項６に記載のランダムアクセスプロセスの処理方法。
【請求項９】
前記方法は更に、ＵＥで次のランダムアクセスアテンプトに前記専用プリアンブルを再使用するかどうかを判断するときに、標準化された規則または設定に基づいて、ＵＥに割り当てられた前記専用プリアンブルを廃棄か撤収するか、または標準化された規則もしくは設定に基づいて、前記ＵＥで前記専用プリアンブルを再使用することを許容し、または他の専用プリアンブルを前記ＵＥに割り当てる段階を含む、請求項６に記載のランダムアクセスプロセスの処理方法。
【請求項１０】
無線通信システムのＵＥにおいてランダムアクセスプロセスを処理する方法であって、当該ＵＥには既に当該ランダムアクセスプロセスに対応する専用プリアンブルが割り当てられており、当該方法は、
ＲＡＣＨのアクセスについて専用プリアンブルをネットワークに出力する段階と、
ネットワークからメッセージ２を通して出力された応答を受信する段階と、
ネットワークの応答メッセージまたはネットワークの応答メッセージの受信有無に基づいて、ネットワークでメッセージ３を正常に受信していないと判断した場合に、専用プリアンブルを再使用するかどうかを決める段階とを含む、ランダムアクセスプロセスの処理方法。
【請求項１１】
前記メッセージ３は、アップリンク共用チャネルでの第１回スケジューリングされたアップリンク送信段階に対応する、請求項１０に記載のランダムアクセスプロセスの処理方法。
【請求項１２】
前記方法は更に、ネットワークでメッセージ３を正常に受信せずに次のランダムアクセスアテンプトを考慮するか試行した場合に、標準化された規則または設定に基づいて、前記専用プリアンブルを解放するか、または他の専用プリアンブルを要求するか、または他の専用プリアンブルの割り当てを待つか、または前記専用プリアンブルを再使用する段階を含む、請求項１０に記載のランダムアクセスプロセスの処理方法。
【請求項１３】
無線通信システムのネットワークにおいてランダムアクセスプロセスを処理する方法であって、
ＵＥから送信されたメッセージ３を受信する段階と、
確認メッセージを出力してメッセージ３の受信状態を応答する段階と、
標準化された規則または設定に基づいて、ＵＥで専用プリアンブルを再使用するかまたは解放するかを決める段階とを含む、ランダムアクセスプロセスの処理方法。
【請求項１４】
前記メッセージ３は、アップリンク共用チャネルでの第１回スケジューリングされたアップリンク送信段階に対応する、請求項１３に記載のランダムアクセスプロセスの処理方法。
【請求項１５】
前記標準化された規則または設定は、特定の条件のもとでのフロー、規則、処理方法、判断方法を定義する、請求項１３に記載のランダムアクセスプロセスの処理方法。
【請求項１６】
前記特定の条件のもとでのフロー、規則、処理方法、または判断方法は、送信されたコンテンション解消段階に対応するメッセージ４がＵＥのメッセージ３への応答であるかどうかの判断、ＵＥが他のランダムアクセスプロセスに対応して他のＲＡＣＨのアクセスを含むかどうかの判断、コンテンション解消段階に対応するメッセージ４を送信してＵＥのメッセージ３に応答した後に、ＵＥに割り当てられた専用プリアンブルを解放か撤収するか、またはその専用プリアンブルの再使用を許容するかどうかの判断、コンテンション解消段階に対応するメッセージ４を正常に送信か再送してＵＥのメッセージ３に応答したかどうの判断、または他のＲＡＣＨのアクセスには前記専用プリアンブルが必要であるかどうかの判断を含む、請求項１５に記載のランダムアクセスプロセスの処理方法。
【請求項１７】
無線通信システムのＵＥにおいてランダムアクセスプロセスを処理する方法であって、
専用プリアンブルを用いて第一ランダムアクセスプロセスを実行する段階と、
標準化された規則または設定に基づいて、前記専用プリアンブルを再使用して第二ランダムアクセスプロセスを実行する段階とを含み、前記第二ランダムアクセスプロセスは第一ランダムアクセスプロセスより遅れている、ランダムアクセスプロセスの処理方法。
【請求項１８】
前記第一ランダムアクセスプロセスは同期要求またはハンドオーバープロセスである、請求項１７に記載のランダムアクセスプロセスの処理方法。
【請求項１９】
前記第二ランダムアクセスプロセスはスケジューリング要求、ハンドオーバープロセス、同期要求、無線リンク障害応答、または専用プリアンブルを割り当てるネットワークに対して専用プリアンブルの再使用を指示・通報するプロセスである、請求項１７に記載のランダムアクセスプロセスの処理方法。
【請求項２０】
前記標準化された規則または設定は、特定の条件のもとでのフロー、規則、処理方法、判断方法を定義するものであり、前記第一ランダムアクセスプロセスと第二ランダムアクセスプロセスが一定の期間内に相互に分離しているかの判断、または前記第一ランダムアクセスプロセスの資源グラントが第二ランダムアクセスプロセスをサポートするために十分であるかどうかの判断、または高い優先順位のＲＡＣＨアクセスに専用プリアンブルを用いる必要の有無の判断を含む、請求項１７に記載のランダムアクセスプロセスの処理方法。
【請求項２１】
前記第二ランダムアクセスプロセスは専用プリアンブルの使用を許容するので、専用プリアンブルの使用を必要とする、請求項１７に記載のランダムアクセスプロセスの処理方法。
【請求項２２】
前記第二ランダムアクセスプロセスの検出と起動は、第一ランダムアクセスプロセスの実行時または完了後に起こる、請求項１７に記載のランダムアクセスプロセスの処理方法。
【請求項２３】
無線通信システムのネットワークにおいてランダムアクセスプロセスを処理する方法であって、
ランダムアクセスプロセスについて、専用プリアンブルを対応するＵＥに割り当てる段階と、
標準化された規則または設定に基づいて、前記専用プリアンブルが前記ＵＥの他のＲＡＣＨアクセスに再使用できるかどうかを判断する段階とを含む、ランダムアクセスプロセスの処理方法。
【請求項２４】
前記方法は更に、前記他のＲＡＣＨアクセスを予期、起動もしくは確認した場合、または前記他のＲＡＣＨアクセスが発生した場合に、前記専用プリアンブルを再使用するかどうかをＵＥに指示する段階を含む、請求項２３に記載のランダムアクセスプロセスの処理方法。
【請求項２５】
前記他のＲＡＣＨのアクセスは、ネットワーク発呼により起動された同期プロセスまたはハンドオーバーアクセスである、請求項２４に記載のランダムアクセスプロセスの処理方法。
【請求項２６】
前記専用プリアンブルを再使用するかどうかをＵＥに指示する段階は、専用プリアンブルを再使用するか、専用プリアンブルを解放するか、または新しい専用プリアンブルもしくはランダムアクセスプリアンブルを使用するかをＵＥに指示する段階を含む、請求項２４に記載のランダムアクセスプロセスの処理方法。
【請求項２７】
無線通信システムのＵＥにおいてランダムアクセスプロセスを処理する方法であって、当該ＵＥには既に当該ランダムアクセスプロセスに対応する専用プリアンブルが割り当てられており、当該方法は、
上位層エンティティーから出力された制御メッセージにより指示された設定に基づいて、前記専用プリアンブルをＲＡＣＨのアクセスに用いる段階を含む、ランダムアクセスプロセスの処理方法。
【請求項２８】
前記上位層エンティティーは、前記制御メッセージにより指示された設定に基づいて、前記専用プリアンブルを使用するように少なくとも１つの下位層エンティティーに指示する、請求項２７に記載のランダムアクセスプロセスの処理方法。
【請求項２９】
前記制御メッセージにより指示された設定は、専用プリアンブルの割当信号またはシグナリングの中で運ばれる、請求項２７に記載のランダムアクセスプロセスの処理方法。
【請求項３０】
無線通信システムのネットワークにおいてランダムアクセスプロセスを処理する方法であって、
ＵＥに対応するランダムアクセスプロセスがネットワークで起動、確認、または予期された場合に、ダウンリンクメッセージ、シグナリング、または指示もしくは情報フィールドを通して、またはそのランダムアクセスプロセスの初期メッセージかシグナリングに含まれたダウンリンクメッセージ、シグナリング、または指示もしくは情報フィールドをトリガー・駆動することで、ＲＡＣＨのアクセスについて専用プリアンブルをＵＥに割り当てる段階を含む、ランダムアクセスプロセスの処理方法。
【請求項３１】
前記ランダムアクセスプロセスは同期要求、ネットワーク発呼、またはハンドオーバーアクセスプロセスである、請求項３０に記載のランダムアクセスプロセスの処理方法。
【請求項３２】
前記ダウンリンクメッセージまたはシグナリングはＲＲＣ（無線資源制御）、ＭＡＣ（媒体アクセス制御）、またはＮＡＳ（非アクセスストラタム）メッセージもしくはシグナリングである、請求項３０に記載のランダムアクセスプロセスの処理方法。
【請求項３３】
前記初期メッセージまたはシグナリングは、ハンドオーバーアクセスに対応する制御メッセージもしくはシグナリングか、またはネットワーク発呼もしくはサービスに対応する制御もしくはページングメッセージもしくはシグナリングである、請求項３０に記載のランダムアクセスプロセスの処理方法。
【請求項３４】
前記指示または情報フィールドは専用プリアンブルの割り当てを示すフラグ、または所用の専用プリアンブルがどれかを示すフラグ、または所用の専用プリアンブルがどれかを示すプリアンブルフィールドである、請求項３０に記載のランダムアクセスプロセスの処理方法。
【請求項３５】
無線通信システムのネットワークにおいてランダムアクセスプロセスを処理する方法であって、
標準化された規則または設定に基づいて、ＵＥに対応する専用プリアンブルとランダムアクセスプリアンブルの共存または同時使用を許容する段階を含む、ランダムアクセスプロセスの処理方法。
【請求項３６】
無線通信システムのＵＥにおいてランダムアクセスプロセスを処理する方法であって、
専用プリアンブルとランダムアクセスプリアンブルを同時に保存し、少なくとも２つのランダムアクセスプロセスに用いる段階を含む、ランダムアクセスプロセスの処理方法。
【請求項３７】
前記方法は更に、ランダムアクセスの原因、優先順位、サービス品質に基づいて、専用プリアンブルを前記少なくとも２つのランダムアクセスプロセスのうち第一ランダムアクセスプロセスに用いることを決める段階を含む、請求項３６に記載のランダムアクセスプロセスの処理方法。
【請求項３８】
前記第一ランダムアクセスプロセスが専用プリアンブルを保つ時間がより短い、請求項３７に記載のランダムアクセスプロセスの処理方法。
【請求項３９】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
前記通信装置に既に前記ランダムアクセスプロセスに対応する専用プリアンブルが割り当てられているコードと、
前記通信装置でダウンリンクメッセージを正常に受信していないか、または前記ランダムアクセスプロセスが失敗した場合に、前記専用プリアンブルを再使用するかどうかを決めるコードを含む、通信装置。
【請求項４０】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
ＲＡＣＨのアクセスについてＵＥから出力された専用プリアンブルを受信するコードと、
メッセージ２を通して前記ＵＥに応答するコードと、
特定の期間内または特定のスケジューリング資源の中で、前記ＵＥのＵＥ  ＩＤを含んだメッセージ３を受信していなかった場合に、前記ＵＥで次のランダムアクセスアテンプトの実行前に前記専用プリアンブルを再使用するかどうかを判断するコードとを含む、通信装置。
【請求項４１】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
前記通信装置に既に前記ランダムアクセスプロセスに対応する専用プリアンブルが割り当てられているコードと、
ＲＡＣＨのアクセスについて専用プリアンブルをネットワークに出力するコードと、
ネットワークからメッセージ２を通して出力された応答を受信するコードと、
ネットワークの応答メッセージまたはネットワークの応答メッセージの受信有無に基づいて、ネットワークでメッセージ３を正常に受信していないと判断した場合に、専用プリアンブルを再使用するかどうかを決めるコードとを含む、通信装置。
【請求項４２】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
ＵＥから送信されたメッセージ３を受信するコードと、
確認メッセージを出力してメッセージ３の受信状態を応答するコードと、
標準化された規則または設定に基づいて、ＵＥで専用プリアンブルを再使用するかまたは解放するかを決めるコードとを含む、通信装置。
【請求項４３】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
専用プリアンブルを用いて第一ランダムアクセスプロセスを実行するコードと、
標準化された規則または設定に基づいて、前記専用プリアンブルを再使用して第二ランダムアクセスプロセスを実行するコードとを含み、前記第二ランダムアクセスプロセスは第一ランダムアクセスプロセスより遅れている、通信装置。
【請求項４４】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
ランダムアクセスプロセスについて、専用プリアンブルを対応するＵＥに割り当てるコードと、
標準化された規則または設定に基づいて、前記専用プリアンブルが前記ＵＥの他のＲＡＣＨアクセスに再使用できるかどうかを判断するコードとを含む、通信装置。
【請求項４５】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
前記通信装置に既に前記ランダムアクセスプロセスに対応する専用プリアンブルが割り当てられているコードと、
上位層エンティティーから出力された制御メッセージにより指示された設定に基づいて、前記専用プリアンブルをＲＡＣＨのアクセスに用いるコードとを含む、通信装置。
【請求項４６】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
ＵＥに対応するランダムアクセスプロセスがネットワークで起動、確認、または予期された場合に、ダウンリンクメッセージ、シグナリング、または指示もしくは情報フィールドを通して、またはそのランダムアクセスプロセスの初期メッセージかシグナリングに含まれたダウンリンクメッセージ、シグナリング、または指示もしくは情報フィールドをトリガー・駆動することで、ＲＡＣＨのアクセスについて専用プリアンブルをＵＥに割り当てるコードを含む、通信装置。
【請求項４７】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
標準化された規則または設定に基づいて、ＵＥに対応する専用プリアンブルとランダムアクセスプリアンブルの共存または同時使用を許容するコードを含む、通信装置。
【請求項４８】
無線通信システムにおいてランダムアクセスプロセスを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、前記プログラムコードは、
専用プリアンブルとランダムアクセスプリアンブルを同時に保存し、少なくとも２つのランダムアクセスプロセスに用いるコードを含む、通信装置。
【発明の詳細な説明】
【技術分野】
【０００１】
本発明は無線通信システムにおいてランダムアクセスプロセスを処理する方法及び装置に関し、特にタイミングアラインメントと資源要求を有効に実現することで、システム動作を確保してシステム効率を向上させる方法及び装置に関する。
【背景技術】
【０００２】
第三世代移動通信技術は高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。しかし、高速データ伝送とマルチメディアアプリケーションに対する市場の要求に鑑みて、業界では次世代の通信技術を開発し、規格制定機構も業界の需要に合わせて通信プロトコルを改定している。
【０００３】
現在のＬＴＥ無線通信システムでは、ＲＡＣＨ（ランダムアクセスチャネル）はＵＥ（ユーザー端末）から基地局までのアップリンクチャネルに配置される。このチャネルはタイミングアラインメント、ＲＮＴＩ（無線ネットワーク一時識別子）の割り当て、及び資源要求に用いられるように設計されている。基地局のＵＥが初期接続状態にあるとき、基地局とＵＥの間ではダウンリンクのみタイミングの同期が得られ、アップリンクでは未だに同期しておらず、ＲＡＣＨのシグナリングはアップリンクのタイミングでアラインメントすることができる。ＵＥでアップリンクのタイミングアラインメントを行う前に、ＵＥはダウンリンク信号の中のＳＣＨ（同期チャネル）または基準信号を用いて、タイミングとフレームの同期を実行する。しかし、送信端と受信端の間の距離によりシグナリングには伝送遅延が生じるので、ＵＥでは、基地局に送信されたシグナリングがその基地局にとって受信フレームの開始点にあたるかどうかは、判明できない。また、１つの基地局で複数のＵＥに対してサービスを提供した場合、ＵＥごとに基地局との距離が異なるので、ラウンドトリップ遅延が生じ、それによりタイミングオフセットが発生する。したがって、時間上の同期を得るためには、基地局はＵＥから送信されたＲＡＣＨシグナリングを用いて両者間のタイミングオフセット量を評価し、更にＤＬ−ＳＣＨ（ダウンリンク共用チャネル）を通してシグナリングの上り送信時間を調整するようにＵＥに通報することが必要である。前記ＲＡＣＨシグナリングは主としてプリアンブルから構成される。プリアンブルは、アップリンクのタイミング同期とＵＥ  ＩＤ（ＵＥ識別）の検出に用いられ、短いシグナリングまたは署名データを搬送することもできる。
【０００４】
一方、複数のＵＥから送信されるＲＡＣＨシグナリングは、コンテンション方式または非コンテンション方式で基地局と接続することができる。すなわち、ＵＥはＲＡＣＨの中で特定の無線チャネル資源を選び、更にプリアンブルメッセージをランダムに選ぶか、またはネットワークで割り当てられたプリアンブルメッセージをシグナリングに組み入れて送信する（この場合、チャネル中の特定の無線チャネル資源はネットワークで割り当てられるか、またはＵＥで選択される）。送信されたＲＡＣＨシグナリングが他ＵＥのシグナリングと衝突（コリジョン）したか、または送信電力が低すぎるなどの理由で基地局により識別できないか、またはランダムに選ばれたプリアンブルメッセージのせいでランダムアクセスプロセスで回線争奪（コンテンション）に失敗した場合、ＵＥは、ＲＡＣＨシグナリングを送信できる次の無線チャネル資源の電力が増加された後に、基地局の応答または送信失敗の基準に達する（例えば送信失敗の最大回数または最大送信電力に達する）まで、シグナリングを再送する（それに用いられるプリアンブルメッセージは状況によって再選択することもできる）。
【０００５】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に別々に設けるのでなく、同一のネットワークエンティティー（例えば基地局）に統合されているので、構造が比較的に簡単である。
【０００６】
ＬＴＥ無線通信システムにとって、ＲＡＣＨの送信機会は時間資源または周波数資源のいずれかに関係するのでなく、時間−周波数資源に関係している。したがって、ＲＡＣＨの物理資源が選ばれたとき、その時間域と周波数帯域もそれに伴って決定される。もっとも、特定の時点に、選べる周波数帯が１本以上存在することもありうる。一方、ＬＴＥ無線通信システムでは、プリアンブルはＵＥによってランダムに選ばれたランダムアクセスプリアンブル、またはネットワークによって割り当てられた専用プリアンブルである。あるＵＥがランダムアクセスプリアンブルを利用した（ランダムに選択した）場合、他のＵＥも同一のプリアンブルを利用し、同一のＲＡＣＨ送信機会で送信することができる。そのため、ネットワークは受信したメッセージが１または１以上のＵＥから送信されたものであるかを判断することができず、コンテンションが発生する。このコンテンションは、ＵＥからＵＥ  ＩＤを含んだアップリンクメッセージを出力した後に解消される。それに反して、ネットワークが特定のＵＥに専用プリアンブルを割り当てた場合、その専用プリアンブルは当該ＵＥに専用されるので、コンテンションは発生しない。
【０００７】
ＬＴＥ無線通信システムでは、ランダムアクセスプロセスの性能は主として、コリジョンとコンテンションの確率、時間−周波数資源、ＵＥの数量（負荷）、プリアンブル署名の数量、チャネル品質、ＵＥ  ＩＤ、アクセス理由などにより影響される。性能のほか、システム設計上の要求、例えば、異なった非同期ランダムアクセスプロセスに対応するＩＤの寿命（ライフスパン）を一致させて、基地局のサービスエリア（セルとも称する）と関係しないようにさせることか、接続状態にあるＵＥの最適化なども、考慮すべきである。ＵＥがＲＡＣＨにアクセスする理由としては、初期アクセス、同期要求、ハンドオーバーアクセス、スケジューリング要求など４種類がある。そのうち初期アクセスは、ＵＥ発呼、ネットワーク発呼、トラッキングエリア更新、または初期セルアクセスであることが可能で、ＮＡＳ（非アクセスストラタム）プロセス（サービス要求、ネットワークアタッチ、またはルーティング／トラッキングエリア更新など）に用いられる初期ＮＡＳシグナリングを含む。したがって、システム要求とＲＡＣＨのアクセスに鑑みて、従来の技術では下記４段階のランダムアクセスプロセスが提供されている。
【０００８】
（１）アップリンクＲＡＣＨでのランダムアクセスプリアンブル（Ｒａｎｄｏｍ  Ａｃｅｓｓ  Ｐｒｅａｍｂｌｅ  ｏｎ  ＲＡＣＨ  ｉｎ  ｕｐｌｉｎｋ）段階：メッセージ１に対応する。アップリンク資源を効率よく割り当てるために、メッセージ１は６ビットを搬送し、ランダムＩＤを指示するか、または他のメッセージ、例えばアクセス原因、伝送メッセージサイズ、優先順位、パスロス、ＣＱＩ（チャネル品質指示子）などの情報を指示する。
【０００９】
（２）ＤＬ−ＳＣＨでのランダムアクセス応答（Ｒａｎｄｏｍ  Ａｃｃｅｓｓ  Ｒｅｓｐｏｎｓｅ  ｏｎ  ＤＬ−ＳＣＨ）段階：メッセージ２に対応する。メッセージ２はメッセージ１と半同期しており（すなわち、特定ＴＴＩ（送信時間間隔）の可変長受信ウィンドウに位置する）、ＨＡＲＱ（ハイブリッド自動リピート要求）プロセスを利用せず、第一層インターフェイス、第二層インターフェイス、及びＤＬ−ＳＣＨで伝送される。メッセージ２は第一層インターフェイスと第二層インターフェイスの制御チャネルを通してＲＡ−ＲＮＴＩ（ランダムアクセス無線ネットワーク一時識別子）に指定され、少なくともランダムアクセスプリアンブル識別子、タイミングアラインメント情報、初期アップリンクグラント、Ｔ−ＣＲＮＴＩ（一時セル無線ネットワーク一時識別子）の割り当てを搬送し、同一のＤＬ−ＳＣＨメッセージの中で１個または複数のＵＥに対応しうる。
【００１０】
（３）ＵＬ−ＳＣＨ（アップリンク共用チャネル）での第１回スケジューリングされたアップリンク送信（Ｆｉｒｓｔ  Ｓｃｈｅｄｕｌｅｄ  ＵＬ  ｔｒａｎｓｍｉｓｓｉｏｎ  ｏｎ  ＵＬ−ＳＣＨ）段階：メッセージ３に対応する。メッセージ３はＨＡＲＱプロセスを利用し、セグメント化を実行しないＲＬＣ  ＴＭ（無線リンク制御トランスペアレントモード）で動作し、少なくともＵＥ  ＩＤと、Ｃ−ＲＮＴＩ（セル無線ネットワーク一時識別子）が既に利用可能になったかどうかを示す情報（明示的または暗黙的）を搬送する。ＵＥがＲＡＣＨにアクセスする理由が初期アクセスで、かつメッセージ３のサイズが許容する場合では、初期ＮＡＳメッセージ（またはその他初期ＮＡＳメッセージの確立に用いられるデータ）をメッセージ３に組み入れることができる。メッセージ３のサイズは可変である。
【００１１】
（４）ＤＬ−ＳＣＨでのコンテンション解消（Ｃｏｎｔｅｎｔｉｏｎ  Ｒｅｓｏｌｕｔｉｏｎ  ｏｎ  ＤＬ−ＳＣＨ）段階：メッセージ４に対応する。メッセージ４はメッセージ３と同期せず、その内容については研究中（ｆｏｒ  ｆｕｒｔｈｅｒ  ｓｔｕｄｙ）である。メッセージ４はＨＡＲＱプロセスをサポートし、第一層インターフェイスと第二層インターフェイスの制御チャネルを通して一時Ｃ−ＲＮＴＩ（Ｔ−ＣＲＮＴＩ）に指定される。Ｔ−ＣＲＮＴＩの割り当てを受けたＵＥはメッセージ４（ＲＲＣコンテンション解消メッセージ）を受信する。ＨＡＲＱフィードバックは、自己のＵＥ  ＩＤを検出したＵＥのみ伝送することができる。このＵＥ  ＩＤは、ＵＥがメッセージ３に組み入れたＵＥ  ＩＤと一致し、ＲＲＣコンテンション解消メッセージの中でエコーバックされる。
【００１２】
従来の技術では、初期アクセスの４つの段階としてはそれぞれ、ＲＡＣＨでのランダムアクセスプリアンブル（Ｒａｎｄｏｍ  Ａｃｃｅｓｓ  Ｐｒｅａｍｂｌｅ  ｏｎ  ＲＡＣＨ）段階、ＤＬ−ＳＣＨでのＣＣＣＨ（共通制御チャネル）を通したランダムアクセス応答（Ｒａｎｄｏｍ  Ａｃｃｅｓｓ  Ｒｅｓｐｏｎｓｅ  ｖｉａ  ＣＣＣＨ  ｏｎ  ＤＬ−ＳＣＨ）段階、ＵＬ−ＳＣＨでのＣＣＣＨを通したＲＲＣ接続要求（ＲＲＣ  Ｃｏｎｎｅｃｔｉｏｎ  Ｒｅｑｕｅｓｔ  ｖｉａ  ＣＣＣＨ  ｏｎ  ＵＬ−ＳＣＨ）段階、及びＤＬ−ＳＣＨでのＤＣＣＨ（専用制御チャネル）を通したＲＲＣコンテンション解消（ＲＲＣ  Ｃｏｎｔｅｎｔｉｏｎ  Ｒｅｓｏｌｕｔｉｏｎ  ｖｉａ  ＤＣＣＨ  ｏｎ  ＤＬ−ＳＣＨ）などである。
【００１３】
したがって、ＬＴＥ無線通信システムについて、従来の技術ではランダムアクセスプロセスの関連段階が提供されている。しかし、前記段階には以下の問題が生じうる。
【００１４】
メッセージ２の送信にはＨＡＲＱプロセスが適用されないので、ランダムアクセスプロセスまたはＲＡＣＨにアクセスする過程では、専用プリアンブルを割り当てられたＵＥでメッセージ２を正常に受信しなければ、その専用プリアンブルは無用となる。しかし、従来の技術では、ネットワークがいつまたはいかなる条件でＵＥに割り当てられた専用プリアンブルの使用権を撤収すべきか、または専用プリアンブルを効率よく使用する方法について何も掲示していない。専用プリアンブルをもつＵＥでランダムアクセス応答信号を正常に受信しなければ、そのＵＥは次のランダムアクセスに同一の専用プリアンブルを使用するか、または当該専用プリアンブルが解放されたと認定してランダムアクセスプリアンブルを使用することが可能である。言い換えれば、ＵＥとネットワークの間では規則が定められていないので、ＵＥとネットワークで専用プリアンブルを使用・割り当てるときに不一致が発生することにより、専用プリアンブルを適時に解放してコンテンション確率を向上させることができない。
【００１５】
また、特定の状況、例えばＵＥが同期を失うかＵＥで発呼した場合では、ネットワークは同期要求またはスケジューリング要求に応じて、ＵＥに予め専用プリアンブルを割り当てることができる。しかし、専用プリアンブルは保留すべきであって、必要時に限ってＵＥに動的に割り当てなければならない。もちろん、非コンテンションのランダムアクセスを接続状態にある大量のＵＥに提供することは非効率的で、資源の浪費である。また、ＵＥにおいて相違した２つのランダムアクセスプロセス、または連続したＲＡＣＨアクセスが必要な場合、専用プリアンブルの割り当てを効率よくさせることを考慮すれば、時間域と周波数帯域資源を費やして専用プリアンブルをＵＥに出力することも非効率的である。特に２つのＵＥで優先順位が同じランダムアクセスプロセスまたはＲＡＣＨアクセスを同時に起動する場合、専用プリアンブルを重複利用するか後に解放することができる。
【００１６】
一方、ＬＴＥ無線通信システムのＲＡＣＨアクセスにおいて、特定の場合では専用プリアンブルとランダムアクセスプリアンブルの共存が求められ、特に利用可能なプリアンブルが十分であるか、または同時に起動されたプロセスが同一のＵＥで実行される場合ではそうである。
【発明の開示】
【発明が解決しようとする課題】
【００１７】
本発明の主な目的は、無線通信システムにおいてランダムアクセスプロセスを処理する方法及び装置を提供することにある。
【課題を解決するための手段】
【００１８】
本発明では、無線通信システムのＵＥ（ユーザー端末）においてランダムアクセスプロセスを処理する方法を掲示する。当該ＵＥには既に当該ランダムアクセスプロセスに対応する専用プリアンブルが割り当てられている。当該方法は、前記ＵＥでダウンリンクメッセージを正常に受信していないか、または前記ランダムアクセスプロセスが失敗した場合に、前記専用プリアンブルを再使用するかどうかを決める段階を含む。
【００１９】
本発明では更に、無線通信システムのネットワークにおいてランダムアクセスプロセスを処理する方法を掲示する。当該方法は、ＲＡＣＨ（ランダムアクセスチャネル）のアクセスについてＵＥから出力された専用プリアンブルを受信する段階と、メッセージ２を通して前記ＵＥに応答する段階と、特定の期間内または特定のスケジューリング資源の中で、前記ＵＥのＵＥ  ＩＤを含んだメッセージ３を受信していなかった場合に、前記ＵＥで次のランダムアクセスアテンプトの実行前に前記専用プリアンブルを再使用するかどうかを判断する段階とを含む。
【００２０】
本発明では更に、無線通信システムのＵＥにおいてランダムアクセスプロセスを処理する方法を掲示する。当該ＵＥには既に当該ランダムアクセスプロセスに対応する専用プリアンブルが割り当てられている。当該方法は、ＲＡＣＨのアクセスについて専用プリアンブルをネットワークに出力する段階と、ネットワークからメッセージ２を通して出力された応答を受信する段階と、ネットワークの応答メッセージまたはネットワークの応答メッセージの受信有無に基づいて、ネットワークでメッセージ３を正常に受信していないと判断した場合に、専用プリアンブルを再使用するかどうかを決める段階とを含む。
【００２１】
本発明では更に、無線通信システムのネットワークにおいてランダムアクセスプロセスを処理する方法を掲示する。当該方法は、ＵＥから送信されたメッセージ３を受信する段階と、確認メッセージを出力してメッセージ３の受信状態を応答する段階と、標準化された規則または設定に基づいて、ＵＥで専用プリアンブルを再使用するかまたは解放するかを決める段階とを含む。
【００２２】
本発明では更に、無線通信システムのＵＥにおいてランダムアクセスプロセスを処理する方法を掲示する。当該方法は、専用プリアンブルを用いて第一ランダムアクセスプロセスを実行する段階と、標準化された規則または設定に基づいて、前記専用プリアンブルを再使用して第二ランダムアクセスプロセスを実行する段階とを含む。前記第二ランダムアクセスプロセスは第一ランダムアクセスプロセスより遅れている。
【００２３】
本発明では更に、無線通信システムのネットワークにおいてランダムアクセスプロセスを処理する方法を掲示する。当該方法は、ランダムアクセスプロセスについて、専用プリアンブルを対応するＵＥに割り当てる段階と、標準化された規則または設定に基づいて、前記専用プリアンブルが前記ＵＥの他のＲＡＣＨアクセスに再使用できるかどうかを判断する段階とを含む。
【００２４】
本発明では更に、無線通信システムのＵＥにおいてランダムアクセスプロセスを処理する方法を掲示する。当該ＵＥには既に当該ランダムアクセスプロセスに対応する専用プリアンブルが割り当てられている。当該方法は、上位層エンティティーから出力された制御メッセージにより指示された設定に基づいて、前記専用プリアンブルをＲＡＣＨのアクセスに用いる段階を含む。
【００２５】
本発明では更に、無線通信システムのネットワークにおいてランダムアクセスプロセスを処理する方法を掲示する。当該方法は、ＵＥに対応するランダムアクセスプロセスがネットワークで起動、確認、または予期された場合に、ダウンリンクメッセージ、シグナリング、または指示もしくは情報フィールドを通して、またはそのランダムアクセスプロセスの初期メッセージかシグナリングに含まれたダウンリンクメッセージ、シグナリング、または指示もしくは情報フィールドをトリガー・駆動することで、ＲＡＣＨのアクセスについて専用プリアンブルをＵＥに割り当てる段階を含む。
【００２６】
本発明では更に、無線通信システムのネットワークにおいてランダムアクセスプロセスを処理する方法を掲示する。当該方法は、標準化された規則または設定に基づいて、ＵＥに対応する専用プリアンブルとランダムアクセスプリアンブルの共存または同時使用を許容する段階を含む。
【００２７】
本発明では更に、無線通信システムのＵＥにおいてランダムアクセスプロセスを処理する方法を掲示する。当該方法は、専用プリアンブルとランダムアクセスプリアンブルを同時に保存し、少なくとも２つのランダムアクセスプロセスに用いる段階を含む。
【００２８】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、前記通信装置に既に前記ランダムアクセスプロセスに対応する専用プリアンブルが割り当てられているコードと、前記通信装置でダウンリンクメッセージを正常に受信していないか、または前記ランダムアクセスプロセスが失敗した場合に、前記専用プリアンブルを再使用するかどうかを決めるコードを含む。
【００２９】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ＲＡＣＨのアクセスについてＵＥから出力された専用プリアンブルを受信するコードと、メッセージ２を通して前記ＵＥに応答するコードと、特定の期間内または特定のスケジューリング資源の中で、前記ＵＥのＵＥ  ＩＤを含んだメッセージ３を受信していなかった場合に、前記ＵＥで次のランダムアクセスアテンプトの実行前に前記専用プリアンブルを再使用するかどうかを判断するコードとを含む。
【００３０】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、前記通信装置に既に前記ランダムアクセスプロセスに対応する専用プリアンブルが割り当てられているコードと、ＲＡＣＨのアクセスについて専用プリアンブルをネットワークに出力するコードと、ネットワークからメッセージ２を通して出力された応答を受信するコードと、ネットワークの応答メッセージまたはネットワークの応答メッセージの受信有無に基づいて、ネットワークでメッセージ３を正常に受信していないと判断した場合に、専用プリアンブルを再使用するかどうかを決めるコードとを含む。
【００３１】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ＵＥから送信されたメッセージ３を受信するコードと、確認メッセージを出力してメッセージ３の受信状態を応答するコードと、標準化された規則または設定に基づいて、ＵＥで専用プリアンブルを再使用するかまたは解放するかを決めるコードとを含む。
【００３２】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、専用プリアンブルを用いて第一ランダムアクセスプロセスを実行するコードと、標準化された規則または設定に基づいて、前記専用プリアンブルを再使用して第二ランダムアクセスプロセスを実行するコードとを含む。前記第二ランダムアクセスプロセスは第一ランダムアクセスプロセスより遅れている。
【００３３】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ランダムアクセスプロセスについて、専用プリアンブルを対応するＵＥに割り当てるコードと、標準化された規則または設定に基づいて、前記専用プリアンブルが前記ＵＥの他のＲＡＣＨアクセスに再使用できるかどうかを判断するコードとを含む。
【００３４】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、前記通信装置に既に前記ランダムアクセスプロセスに対応する専用プリアンブルが割り当てられているコードと、上位層エンティティーから出力された制御メッセージにより指示された設定に基づいて、前記専用プリアンブルをＲＡＣＨのアクセスに用いるコードとを含む。
【００３５】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ＵＥに対応するランダムアクセスプロセスがネットワークで起動、確認、または予期された場合に、ダウンリンクメッセージ、シグナリング、または指示もしくは情報フィールドを通して、またはそのランダムアクセスプロセスの初期メッセージかシグナリングに含まれたダウンリンクメッセージ、シグナリング、または指示もしくは情報フィールドをトリガー・駆動することで、ＲＡＣＨのアクセスについて専用プリアンブルをＵＥに割り当てるコードを含む。
【００３６】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、標準化された規則または設定に基づいて、ＵＥに対応する専用プリアンブルとランダムアクセスプリアンブルの共存または同時使用を許容するコードを含む。
【００３７】
本発明では更に、無線通信システムにおいてランダムアクセスプロセスを正確に処理する通信装置を掲示する。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、専用プリアンブルとランダムアクセスプリアンブルを同時に保存し、少なくとも２つのランダムアクセスプロセスに用いるコードを含む。
【発明を実施するための最良の形態】
【００３８】
かかる方法及び装置の特徴を詳述するために、具体的な実施例を挙げ、図を参照にして以下に説明する。
【００３９】
図１２を参照する。図１２は無線通信システム１２００を表す説明図である。無線通信システム１２００は望ましくはＬＴＥ無線通信システムであり、概してネットワークと複数のＵＥから構成される。図１２では、ネットワークとＵＥは無線通信システム１２００の構造を説明するに用いられ、実際、ネットワークは要求に応じて複数の基地局、ＲＮＣ（無線ネットワークコントローラー）を含みうる。ＵＥは携帯電話またはコンピュータシステムなどの装置である。
【００４０】
図１を参照する。図１は無線通信システムの無線通信装置１００のブロック図である。無線通信装置１００は図８に示すＵＥまたはネットワークを実施するものである。説明を簡潔にするため、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００４１】
図２を参照する。図２は図１に示すプログラムコード１１２を表す説明図である。プログラムコード１１２はＮＡＳインターフェイス２００と、第三層インターフェイス２０２と、第二層インターフェイス２０６を備え、第一層インターフェイス２１８と接続されている。ＮＡＳインターフェイス２００ではＮＡＳメッセージを生成してノンアクセスアプリケーションを実行する。第三層インターフェイス２０２はＲＲＣ層インターフェイスを備え、これで資源制御を実行する。第二層インターフェイス２０６はリンク制御を実行し、第一層インターフェイス２１８は実体接続を実現する。ＰＤＣＰ（パケットデータコンバージェンスプロトコル）層インターフェイスは第三層インターフェイス２０２または第二層インターフェイス２０６に属するとみなすことができ、本発明とは無関係である。
【００４２】
タイミングアラインメントと資源要求を実現するために、無線通信装置１００にはランダムアクセスプロセスの動作に合わせるためにＲＡＣＨが設けられている。それに鑑みて、本発明の実施例では、ランダムアクセスプロセスを処理して従来の技術の問題を回避するために、ランダムアクセス処理プログラムコード２２０を提供する。後掲記述では、メッセージ１、メッセージ２、メッセージ３、及びメッセージ４の定義はいずれも前記に準ずる。すなわち、メッセージ１はアップリンクＲＡＣＨでのランダムアクセスプリアンブル段階に対応し、メッセージ２はＤＬ−ＳＣＨでのランダムアクセス応答段階に対応し、メッセージ３はＵＬ−ＳＣＨでの第１回スケジューリングされたアップリンク送信段階に対応し、メッセージ４はＤＬ−ＳＣＨでのコンテンション解消段階に対応する。
【００４３】
図３を参照する。図３は本発明の実施例による方法３０のフローチャートである。下記方法３０は無線通信システム１２００のＵＥでのランダムアクセスプロセスの処理に用いられ、ランダムアクセス処理プログラムコード２２０としてコンパイルすることができる。
【００４４】
ステップ３００：開始。
【００４５】
ステップ３０２：ＵＥでダウンリンクメッセージを正常に受信していないか、またはランダムアクセスプロセスが失敗した場合に、専用プリアンブルを再使用するかどうかを決める。
【００４６】
ステップ３０４：終了。
【００４７】
以上のように、ＵＥでダウンリンクメッセージを正常に受信していないか、またはランダムアクセスプロセスが失敗した場合に、本発明の実施例では専用プリアンブルを再使用するかどうかを決める。望ましくは、前記ダウンリンクメッセージはメッセージ２である。また、本発明の実施例では、アップリンクメッセージを送信したが、ダウンリンクメッセージを正常に受信していない場合に、ＵＥでダウンリンクメッセージを正常に受信したかどうかを判断する。このアップリンクメッセージは望ましくはメッセージ１またはメッセージ３である。
【００４８】
更に、ＵＥでダウンリンクメッセージを正常に受信せずに、次のランダムアクセスアテンプトを実行した場合、本発明の実施例では標準化された規則または設定に基づいて前記専用プリアンブルを再使用するか、または他の専用プリアンブルを要求するか、または他の専用プリアンブルの割り当てを待つか、または前記専用プリアンブルを解放してランダムアクセスプリアンブルを使用する。
【００４９】
従来の技術では、メッセージ２はＨＡＲＱプロセスをサポートしないので、ランダムアクセスプロセスまたはＲＡＣＨにアクセスする過程では、専用プリアンブルを割り当てられたＵＥでメッセージ２を正常に受信しなければ、その専用プリアンブルは無用となる。それと比べて、本発明の実施例では、メッセージ２を正常に受信していない場合、ＵＥは標準化された規則または設定に基づいて専用プリアンブルを再使用することができる。言い換えれば、本発明の実施例は専用プリアンブルを効率よく利用し、専用プリアンブルの浪費を防止することができる。
【００５０】
したがって、前記方法３０によれば、メッセージ２を正常に受信していないか、またはランダムアクセスプロセスが失敗した場合、ＵＥは専用プリアンブルを再使用するかどうかを決めることができる。
【００５１】
図４を参照する。図４は本発明の実施例による方法４０のフローチャートである。下記方法４０は無線通信システム１２００のネットワークでのランダムアクセスプロセスの処理に用いられ、ランダムアクセス処理プログラムコード２２０としてコンパイルすることができる。
【００５２】
ステップ４００：開始。
【００５３】
ステップ４０２：ＲＡＣＨのアクセスについてＵＥから出力された専用プリアンブルを受信する。
【００５４】
ステップ４０４：メッセージ２を通してＵＥに応答する。
【００５５】
ステップ４０６：特定の期間内または特定のスケジューリング資源の中で、ＵＥのＵＥ  ＩＤを含んだメッセージ３を受信していなかった場合に、このＵＥで次のランダムアクセスアテンプトの実行前に前記専用プリアンブルを再使用するかどうかを判断する。
【００５６】
ステップ４０８：終了。
【００５７】
以上のように、ＲＡＣＨのアクセスについてＵＥから出力された専用プリアンブルを受信すると、ネットワークはメッセージ２を出力してＵＥに応答する。その後、ネットワークで、特定の期間内または特定のスケジューリング資源の中でＵＥのＵＥ  ＩＤを含んだメッセージ３を受信していなければ、本発明の実施例ではこのＵＥで次のランダムアクセスアテンプトの実行前に前記専用プリアンブルを再使用するかどうかを判断する。言い換えれば、ＵＥでメッセージ２を正常に受信したかどうかがネットワークで確認できないとき、ネットワークでは、そのＵＥで次のランダムアクセスアテンプトの実行前に前記専用プリアンブルを再使用するかどうかを判断する。
【００５８】
望ましくは、ＵＥで次のランダムアクセスアテンプトに前記専用プリアンブルを再使用する場合、本発明の実施例では標準化された規則または設定に基づいて、ＵＥに割り当てられた前記専用プリアンブルを廃棄か撤収するか、または標準化された規則もしくは設定に基づいて、ＵＥで前記専用プリアンブルを再使用することを許容し、または他の専用プリアンブルを当該ＵＥに割り当てる。
【００５９】
従来の技術では、メッセージ２はＨＡＲＱプロセスをサポートしないので、ランダムアクセスプロセスまたはＲＡＣＨにアクセスする過程では、専用プリアンブルを割り当てられたＵＥでメッセージ２を正常に受信しなければ、その専用プリアンブルは無用となる。それと比べて、本発明の実施例では、ＵＥでメッセージ２を正常に受信していない場合、ネットワークは専用プリアンブルをＵＥに割り当てることを諦め、または標準化された規則もしくは設定に基づいて、ＵＥで前記専用プリアンブルを再使用することを許容し、または他の専用プリアンブルを当該ＵＥに割り当てる。言い換えれば、本発明の実施例は専用プリアンブルを効率よく利用し、専用プリアンブルの浪費を防止することができる。
【００６０】
したがって、前記方法４０によれば、メッセージ２を正常に受信していなかった場合、ネットワークは、ＵＥで次のランダムアクセスアテンプトを実行するときに専用プリアンブルを再使用するかどうかを判断することができる。
【００６１】
図５を参照する。図５は本発明の実施例による方法５０のフローチャートである。下記方法５０は無線通信システム１２００のＵＥでのランダムアクセスプロセスの処理に用いられ、当該ＵＥにはそのランダムアクセスプロセスに対応する専用プリアンブルが割り当てられている。下記方法５０は、ランダムアクセス処理プログラムコード２２０としてコンパイルすることができる。
【００６２】
ステップ５００：開始。
【００６３】
ステップ５０２：ＲＡＣＨのアクセスについて専用プリアンブルをネットワークに出力する。
【００６４】
ステップ５０４：ネットワークからメッセージ２を通して出力された応答を受信する。
【００６５】
ステップ５０６：ネットワークの応答メッセージまたはネットワークの応答メッセージの受信有無に基づいて、ネットワークでメッセージ３を正常に受信していないと判断した場合に、専用プリアンブルを再使用するかどうかを決める。
【００６６】
ステップ５０４：終了。
【００６７】
以上のように、ＵＥがＲＡＣＨのアクセスに基づいて専用プリアンブルをネットワークに出力した後、ネットワークはメッセージ２を通して対応する応答を出力する。その後、ネットワークはメッセージ３を出力する。このとき、ネットワークの応答メッセージまたはネットワークの応答メッセージの受信有無に基づいて、ネットワークでメッセージ３を正常に受信していないと判断した場合、本発明の実施例では専用プリアンブルを再使用するかどうかを決める。
【００６８】
望ましくは、本発明の実施例では、ネットワークでメッセージ３を正常に受信せずに、次のランダムアクセスアテンプトを考慮するか試行した場合、ＵＥは標準化された規則または設定に基づいて、前記専用プリアンブルを解放するか、または他の専用プリアンブルを要求するか、または他の専用プリアンブルの割り当てを待つか、または前記専用プリアンブルを再使用する。言い換えれば、本発明の実施例は専用プリアンブルを効率よく利用し、専用プリアンブルの浪費を防止することができる。
【００６９】
したがって、前記方法５０によれば、ネットワークでメッセージ３を正常に受信していなかった場合、ＵＥは専用プリアンブルを再使用するかどうかを決めることができる。
図６を参照する。図６は本発明の実施例による方法６０のフローチャートである。下記方法６０は無線通信システム１２００のネットワークでのランダムアクセスプロセスの処理に用いられ、ランダムアクセス処理プログラムコード２２０としてコンパイルすることができる。
【００７０】
ステップ６００：開始。
【００７１】
ステップ６０２：ネットワークでＵＥから送信されたメッセージ３を受信する。
【００７２】
ステップ６０４：確認メッセージを出力してメッセージ３の受信状態を応答する。
【００７３】
ステップ６０６：標準化された規則または設定に基づいて、ＵＥで専用プリアンブルを再使用するかまたは解放するかを決める。
【００７４】
ステップ６０８：終了。
【００７５】
以上のように、ＵＥから送信されたメッセージ３を受信した後、ネットワークは確認メッセージを出力してメッセージ３の受信状態を応答する。同時に、本発明の実施例では標準化された規則または設定に基づいて、ＵＥで専用プリアンブルを再使用するかまたは解放するかを決める。
【００７６】
望ましくは、前記標準化された規則または設定とは、特定の条件のもとでのフロー、規則、処理方法、判断方法、またはＵＥが他のランダムアクセスプロセスに対応して他のＲＡＣＨのアクセスを含むかどうかを定義するものである。言い換えれば、メッセージ３の受信状態を応答した後、ネットワークは前記標準化された規則または設定で定義された特定の条件のもとでのフロー、規則、処理方法、または判断方法に基づいて、ＵＥで専用プリアンブルを再使用するかまたは解放するかを決めることができる。前記特定の条件のもとでのフロー、規則、処理方法、または判断方法は、送信されたコンテンション解消段階に対応するメッセージ４がＵＥのメッセージ３への応答であるかどうかの判断、ＵＥが他のランダムアクセスプロセスに対応して他のＲＡＣＨのアクセスを含むかどうかの判断、コンテンション解消段階に対応するメッセージ４を送信してＵＥのメッセージ３に応答した後に、ＵＥに割り当てられた専用プリアンブルを解放か撤収するか、またはその専用プリアンブルの再使用を許容するかどうかの判断、コンテンション解消段階に対応するメッセージ４を正常に送信か再送してＵＥのメッセージ３に応答したかどうの判断、または他のＲＡＣＨのアクセスには前記専用プリアンブルが必要であるかどうかの判断を含む。この場合、本発明の実施例は専用プリアンブルを効率よく利用し、専用プリアンブルの浪費を防止することができる。
【００７７】
したがって、前記方法６０によれば、メッセージ３の受信状態を応答した後、ネットワークは標準化された規則または設定に基づいて、ＵＥで専用プリアンブルを再使用するかまたは解放するかを決める。
【００７８】
図７を参照する。図７は本発明の実施例による方法７０のフローチャートである。下記方法７０は無線通信システム１２００のＵＥでのランダムアクセスプロセスの処理に用いられ、ランダムアクセス処理プログラムコード２２０としてコンパイルすることができる。
【００７９】
ステップ７００：開始。
【００８０】
ステップ７０２：専用プリアンブルを用いて第一ランダムアクセスプロセスを実行する。
【００８１】
ステップ７０４：標準化された規則または設定に基づいて、前記専用プリアンブルを再使用して第二ランダムアクセスプロセスを実行する。第二ランダムアクセスプロセスは第一ランダムアクセスプロセスより遅れている。
【００８２】
ステップ７０６：終了。
【００８３】
以上のように、ＵＥで専用プリアンブルを用いて第一ランダムアクセスプロセスを実行した後、本発明の実施例では標準化された規則または設定に基づいて、前記専用プリアンブルを再使用して第二ランダムアクセスプロセスを実行する。第二ランダムアクセスプロセスは第一ランダムアクセスプロセスより遅れている。言い換えれば、本発明の実施例では少なくとも２つのランダムアクセスプロセスに同一の専用プリアンブルを使用することができる。
【００８４】
従来の技術では、ＵＥにおいて相違した２つのランダムアクセスプロセス、または連続したＲＡＣＨアクセスが必要な場合、専用プリアンブルの割り当てを効率よくさせるために、時間域と周波数帯域資源を費やして専用プリアンブルをＵＥに出力しなければならない。それと比べて、ＵＥで相違した２つのランダムアクセスプロセス、または連続したＲＡＣＨのアクセスを実行するとき、本発明の実施例では同一の専用プリアンブルを再使用することで、時間域と周波数帯域資源を節減することができる。
【００８５】
望ましくは、本発明の実施例では、前記第一ランダムアクセスプロセスは同期要求またはハンドオーバープロセスであり、第二ランダムアクセスプロセスはスケジューリング要求、ハンドオーバープロセス、同期要求、無線リンク障害応答、または専用プリアンブルを割り当てるネットワークに対して専用プリアンブルの再使用を指示・通報するプロセスであって、専用プリアンブルの使用を許容するので専用プリアンブルの使用が必要である。第二ランダムアクセスプロセスの検出と起動は第一ランダムアクセスプロセスの実行時または完了後に起こる。なお、前記標準化された規則または設定とは、特定の条件のもとでのフロー、規則、処理方法、判断方法を定義するものであり、前記第一ランダムアクセスプロセスと第二ランダムアクセスプロセスが一定の期間内に相互に分離しているかの判断、または前記第一ランダムアクセスプロセスの資源グラントが第二ランダムアクセスプロセスをサポートするために十分であるかどうかの判断、または高い優先順位のＲＡＣＨアクセスに専用プリアンブルを用いる必要の有無の判断を含む。
【００８６】
したがって、前記方法７０によれば、ＵＥにおいて相違した２つのランダムアクセスプロセス、または連続したＲＡＣＨアクセスが必要な場合、ＵＥは専用プリアンブルを再使用して時間域と周波数帯域資源を節減することができる。
【００８７】
図８を参照する。図８は本発明の実施例による方法８０のフローチャートである。下記方法８０は無線通信システム１２００のネットワークでのランダムアクセスプロセスの処理に用いられ、ランダムアクセス処理プログラムコード２２０としてコンパイルすることができる。
【００８８】
ステップ８００：開始。
【００８９】
ステップ８０２：ランダムアクセスプロセスについて、専用プリアンブルを対応するＵＥに割り当てる。
【００９０】
ステップ８０４：標準化された規則または設定に基づいて、前記専用プリアンブルが前記ＵＥの他のＲＡＣＨアクセスに再使用できるかどうかを判断する。
【００９１】
ステップ８０６：終了。
【００９２】
以上のように、ネットワークでランダムアクセスプロセスについて、専用プリアンブルを対応するＵＥに割り当てた後、本発明の実施例では標準化された規則または設定に基づいて、前記専用プリアンブルが前記ＵＥの他のＲＡＣＨアクセスに再使用できるかどうかを判断する。言い換えれば、本発明の実施例では少なくとも２つのランダムアクセスプロセスに同一の専用プリアンブルを使用することができる。
【００９３】
従来の技術では、ＵＥにおいて相違した２つのランダムアクセスプロセス、または連続したＲＡＣＨアクセスが必要な場合、専用プリアンブルの割り当てを効率よくさせるために、時間域と周波数帯域資源を費やして専用プリアンブルをＵＥに出力しなければならない。それと比べて、ＵＥで相違した２つのランダムアクセスプロセス、または連続したＲＡＣＨのアクセスを実行するとき、本発明の実施例では標準化された規則または設定に基づいて、前記専用プリアンブルが前記ＵＥの他のＲＡＣＨアクセスに再使用できるかどうかを判断することで、時間域と周波数帯域資源を節減することができる。
【００９４】
望ましくは、前記他のＲＡＣＨアクセスが、ネットワーク発呼により起動された同期プロセスまたはハンドオーバーアクセスである場合、本発明の実施例では前記他のＲＡＣＨアクセスを予期、起動もしくは確認時に、または前記他のＲＡＣＨアクセスの発生時に、前記専用プリアンブルを再使用するかどうかをＵＥに指示する。例えば、専用プリアンブルを再使用するか、専用プリアンブルを解放するか、または新しい専用プリアンブルもしくはランダムアクセスプリアンブルを使用するかをＵＥに指示する。
【００９５】
したがって、前記方法８０によれば、ＵＥにおいて相違した２つのランダムアクセスプロセス、または連続したＲＡＣＨアクセスが必要な場合、ネットワークは標準化された規則または設定に基づいて、前記専用プリアンブルが前記ＵＥの他のＲＡＣＨアクセスに再使用できるかどうかを判断することで、時間域と周波数帯域資源を節減することができる。
【００９６】
図９を参照する。図９は本発明の実施例による方法９０のフローチャートである。下記方法９０は無線通信システム１２００のネットワークでのランダムアクセスプロセスの処理に用いられ、ランダムアクセス処理プログラムコード２２０としてコンパイルすることができる。
【００９７】
ステップ９００：開始。
【００９８】
ステップ９０２：ＵＥに対応するランダムアクセスプロセスがネットワークで起動、確認、または予期された場合に、ダウンリンクメッセージ、シグナリング、または指示もしくは情報フィールドを通して、またはそのランダムアクセスプロセスの初期メッセージかシグナリングに含まれたダウンリンクメッセージ、シグナリング、または指示もしくは情報フィールドをトリガー・駆動することで、ＲＡＣＨのアクセスについて専用プリアンブルをＵＥに割り当てる。
【００９９】
ステップ９０４：終了。
【０１００】
以上のように、ＵＥに対応するランダムアクセスプロセスがネットワークで起動、確認、または予期された場合、本発明の実施例ではダウンリンクメッセージ、シグナリング、または指示もしくは情報フィールドを通して、またはそのランダムアクセスプロセスの初期メッセージかシグナリングに含まれたダウンリンクメッセージ、シグナリング、または指示もしくは情報フィールドをトリガー・駆動することで、ＲＡＣＨのアクセスについて専用プリアンブルをＵＥに割り当てる。
【０１０１】
望ましくは、前記ランダムアクセスプロセスは同期要求、ネットワーク発呼、またはハンドオーバーアクセスプロセスである。前記ダウンリンクメッセージまたはシグナリングはＲＲＣ（無線資源制御）、ＭＡＣ（媒体アクセス制御）、またはＮＡＳメッセージもしくはシグナリングである。前記初期メッセージまたはシグナリングは、ハンドオーバーアクセスに対応する制御メッセージもしくはシグナリングか、またはネットワーク発呼もしくはサービスに対応する制御もしくはページングメッセージもしくはシグナリングである。前記指示または情報フィールドは専用プリアンブルの割り当てを示すフラグ、または所用の専用プリアンブルがどれかを示すフラグ、または所用の専用プリアンブルがどれかを示すプリアンブルフィールドである。
【０１０２】
したがって、前記方法９０によれば、ＵＥのランダムアクセスプロセスがネットワークで起動、確認、または予期された場合、ネットワークはダウンリンクメッセージ、シグナリング、または指示または情報フィールドを通して、ＲＡＣＨのアクセスについて専用プリアンブルをＵＥに割り当てる。
【０１０３】
図１０を参照する。図１０は本発明の実施例による方法１０００のフローチャートである。下記方法１０００は無線通信システム１２００のネットワークでのランダムアクセスプロセスの処理に用いられ、ランダムアクセス処理プログラムコード２２０としてコンパイルすることができる。
【０１０４】
ステップ１００２：開始。
【０１０５】
ステップ１００４：標準化された規則または設定に基づいて、ＵＥに対応する専用プリアンブルとランダムアクセスプリアンブルの共存または同時使用を許容する。
【０１０６】
ステップ１００６：終了。
【０１０７】
以上のように、ネットワークは標準化された規則または設定に基づいて、ＵＥに対応する専用プリアンブルとランダムアクセスプリアンブルの共存または同時使用を許容する。
前述のように、ＬＴＥ無線通信システムのＲＡＣＨアクセスにおいて、特定の場合では専用プリアンブルとランダムアクセスプリアンブルの共存が求められ、特に利用可能なプリアンブルが十分であるか、または同時に起動されたプロセスが同一のＵＥで実行される場合ではそうである。この場合、本発明の実施例によれば、ネットワークは標準化された規則または設定に基づいて、ＵＥに対応する専用プリアンブルとランダムアクセスプリアンブルの共存を許容することができる。
【０１０８】
したがって、前記方法１０００によれば、ネットワークはＵＥに対応する専用プリアンブルとランダムアクセスプリアンブルの共存または同時使用を許容することができる。
【０１０９】
図１１を参照する。図１１は本発明の実施例による方法１１００のフローチャートである。下記方法１１００は無線通信システム１２００のＵＥでのランダムアクセスプロセスの処理に用いられ、ランダムアクセス処理プログラムコード２２０としてコンパイルすることができる。
【０１１０】
ステップ１１０２：開始。
【０１１１】
ステップ１１０４：専用プリアンブルとランダムアクセスプリアンブルを同時に保存し、少なくとも２つのランダムアクセスプロセスに用いる。
【０１１２】
ステップ１１０６：終了。
【０１１３】
以上のように、ＵＥは専用プリアンブルとランダムアクセスプリアンブルを同時に保存し、少なくとも２つのランダムアクセスプロセスに用いる。
【０１１４】
前述のように、ＬＴＥ無線通信システムのＲＡＣＨアクセスにおいて、特定の場合では専用プリアンブルとランダムアクセスプリアンブルの共存が求められ、特に利用可能なプリアンブルが十分であるか、または同時に起動されたプロセスが同一のＵＥで実行される場合ではそうである。この場合、本発明の実施例によれば、ＵＥは専用プリアンブルとランダムアクセスプリアンブルを同時に保存し、少なくとも２つのランダムアクセスプロセスに用いることができる。
【０１１５】
望ましくは、本発明の実施例では、ＵＥはランダムアクセスの原因、優先順位、サービス品質に基づいて、専用プリアンブルを前記少なくとも２つのランダムアクセスプロセスのうち第一ランダムアクセスプロセスに用いることを決める。第一ランダムアクセスプロセスが専用プリアンブルを保つ時間がより短い。
【０１１６】
したがって、前記方法１１００によれば、ＵＥは専用プリアンブルとランダムアクセスプリアンブルを同時に保存し、少なくとも２つのランダムアクセスプロセスに用いることができる。
【産業上の利用可能性】
【０１１７】
まとめていえば、本発明の実施例では種々のランダムアクセスプロセスの処理方法を提供することで、タイミングアラインメントと資源要求を効率よく実行し、システム効率を向上させる。
【０１１８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【０１１９】
【図１】本発明による無線通信装置のブロック図である。
【図２】図１に示すプログラムコードを表す説明図である。
【図３】本発明の実施例による方法のフローチャートである。
【図４】本発明の実施例による方法のフローチャートである。
【図５】本発明の実施例による方法のフローチャートである。
【図６】本発明の実施例による方法のフローチャートである。
【図７】本発明の実施例による方法のフローチャートである。
【図８】本発明の実施例による方法のフローチャートである。
【図９】本発明の実施例による方法のフローチャートである。
【図１０】本発明の実施例による方法のフローチャートである。
【図１１】本発明の実施例による方法のフローチャートである。
【図１２】無線通信システムを表す説明図である。
【符号の説明】
【０１２０】
１００    無線通信装置
１０２    入力装置
１０４    出力装置
１０６    制御回路
１０８    ＣＰＵ
１１０    記憶装置
１１２    プログラムコード
１１４    トランシーバー
２００    ＮＡＳインターフェイス
２０２    第三層インターフェイス
２０６    第二層インターフェイス
２１８    第一層インターフェイス
２２０    ランダムアクセス処理プログラムコード
１２００    無線通信システム
【図１】
2008252889.tif 000003
【図２】
2008252889.tif 000004
【図３】
2008252889.tif 000005
【図４】
2008252889.tif 000006
【図５】
2008252889.tif 000007
【図６】
2008252889.tif 000008
【図７】
2008252889.tif 000009
【図８】
2008252889.tif 000010
【図９】
2008252889.tif 000011
【図１０】
2008252889.tif 000012
【図１１】
2008252889.tif 000013
【図１２】
2008252889.tif 000014
【外国語明細書】
2008252889000001.pdf